(57)【特許請求の範囲】
【請求項１】
回転駆動係止部材が水平回転可能に調理器本体の上端面に保持され、前記回転駆動係止部材が前記調理器本体内の電動機により回転駆動可能に設けられ、前記調理器本体の上方に配設した調理容器の底壁に前記調理容器内に配設した切削手段が回転自在に保持され、下方に延びて前記上端面上に載置される内外二重の筒部が調理容器の底壁に設けられ、前記切削手段に連動し且つ前記調理容器を前記上端面上に載置したときに前記回転駆動係止部材に係止される被係止部材が前記筒部内に保持されていると共に、先端部に周方向に傾斜する傾斜面が設けられた複数の本体側係止片が前記回転駆動係止部材の回転中心と同心の同一円上に周方向に間隔をおいて等ピッチで前記上端面に突設され且つ前記筒部の内筒部と外筒部との間の環状溝内に配設され、前記本体側係止片に周方向から係合して前記調理容器の周方向への回動を阻止する容器側係止片が前記筒部に設けられた電動調理器であって、前記内筒部には切欠が形成されていると共に、前記外筒部の内壁面には容器側係止片としての上下に延びる回動規制リブが前記切欠に対応して突設されていることを特徴とする電動調理器。
【請求項２】
前記回動規制リブには前記筒部の中心側に向うに従って径が小さくなる傾斜面が前記筒部の下端部から前記底壁側に向けて形成されていることを特徴とする請求項１に記載の電動調理器。
【請求項３】
前記外筒部と内筒部の対向する壁面の少なくとも一方には上下に向けて延びる補強リブが形成されていると共に、前記補強リブの下端部には前記環状溝の奥に向けて傾斜する傾斜面が形成されていることを特徴とする請求項１又は２に記載の電動調理器。
【請求項４】
前記切欠は前記内筒に１８０゜間隔をおいて２つ形成され、前記回動規制リブは前記一方の切欠に対応する第１の回動規制リブと他方の前記切欠に対応する第２の回動規制リブであり、前記第１の回動規制リブと第２の回動規制リブは互いに対向し、前記第１，第２の回動規制リブには傾斜面に連続する段部がそれぞれ形成されていると共に、複数の前記本体側係止片の外周面を結ぶ仮想円の直径は前記第１，第２の回動規制リブの段部の最小間隔より大きく且つ第１，第２の回動規制リブの一方の段部の外端と他方の回動規制リブの段部の内端との間隔より大きく設定されていることを特徴とする請求項２に記載の電動調理器。
【請求項５】
前記回動規制リブは前記切欠まで突出して前記環状溝の幅に形成されていると共に、前記回動規制リブは前記傾斜面に連続して前記切欠まで延びる段部を有することを特徴とする請求項２又は４に記載の電動調理器。
【請求項６】
前記回動規制リブは前記筒部の周方向に微小間隙を有して複数並設されていると共に、前記複数の回動規制リブの段部を結ぶ線は周方向に傾斜する様に設定されていることを特徴とする請求項４又は５に記載の電動調理器。
【請求項７】
前記複数の回動規制リブの間隔は前記本体側係止片に設けた傾斜面の周方向幅よりも小さく設定されていることを特徴とする請求項６に記載の電動調理器。
【請求項８】
前記複数の回動規制リブの段部を結ぶ線の傾斜角度は、前記本体側係止片に設けた傾斜面の傾斜角度以上に設定されていることを特徴とする請求項６又は７に記載の電動調理器。
【発明の詳細な説明】
【０００１】
【産業上の利用分野】
この発明は、切削部材が設けられた調理容器を電動機が内蔵された調理器本体上に位置決して載置することにより、前記切削部材と前記電動機が連動する様にした電動調理器に関するものである。
【０００２】
【従来の技術】
この種の電動調理器としては例えば図１０に示した様なミキサーがある。このミキサーは、電動機（モータ）が内蔵されたミキサー本体（調理器本体）１と、ミキサー本体１の上部に載置された容器本体２と、容器本体２の上部開口端を覆う蓋体３を有する。
【０００３】
そして、ミキサー本体１の上部には円形の載置台１ａが形成され、載置台１ａの上端面１ｂの中央には図１１に示した様に回転円板４が水平回転可能に保持され、回転円板４上には半径方向に延びる複数の回転駆動係止部材５が設けられている。この回転円板４はミキサー本体１内の電動機により回転駆動可能に設けられている。また、載置台１ａの上端面１ｂ上には、複数の本体側係止片６が回転円板４の回転中心と同心の同一円上に周方向に間隔をおいて等ピッチで突設されている。この本体側係止片６は平面形状が円弧状に形成されている。しかも、本体側係止片６の先端部には屋根形状に周方向に傾斜する傾斜面６ａ，６ｂが設けられている。
【０００４】
また、図１２に示した様に、容器本体２の底壁２ａには容器本体２の底部内に配設した切削刃（調理物切削部材）７が回転自在に保持され、容器の本体２の底壁２ａには下方に延びる筒部８が一体に形成されている。この筒部８は内筒部９と外筒部１０から内外二重に形成され、この内筒部９と外筒部１０との間には環状溝１１が形成されている。しかも、この環状溝内１１内には、１８０゜の間隔をおいて筒部８と一体に形成した一対の容器側係止片１２，１２が配設されている。この容器側係止片１２も本体側係止片６と同様に先端部に傾斜面１２ａ，１２ｂを有する。尚、１３は切削刃７と一体に設けられ且つ内筒部９内に配設された板状の被係止部材、１４は容器本体２に設けられた把手である。
【０００５】
この様な構成においては、ミキサー本体１の複数の本体側係止片６が環状溝１１に入るように、容器本体２の筒部８を載置台１ａ上に載置することにより、容器側係止片１２が傾斜面６ａ，６ｂ，１２ａ，１２ｂ等の作用により本体側係止片６，６間に挿入される。そして、容器本体２を周方向へ回動させても、容器本体２は僅かに周方向に回動するが、容器側係止片１２が本体側係止片６に当接して周方向への回動が規制される。一方、この様に容器本体２が載置台１ａ上に位置決して載置された状態で、電動機により回転円板４が回転駆動されると、回転円板４の回転駆動係止部材５が容器本体２側の被係止部材１３に係止されて、切削刃７が回転させられ、容器本体２内の調理物が切削刃７により切削されることになる。
【０００６】
【発明が解決しようとする課題】
ところで、上述した容器本体２は成形金型内で樹脂を射出成形することにより形成されるが、内筒部９及び外筒部１０と容器側係止片１２との間隔が狭いために、成形金型は容器側係止片１２を形成する部分が薄くなり、成形金型の製作が容易でないものであり、又、成形性も悪いものであった。
【０００７】
そこで、この発明は、成形金型の製作が容易で且つ成形性のよい容器本体を提供できる電動調理器を提供することを目的とするものである。
【０００８】
【課題を解決するための手段】
この目的を達成するため、請求項１の発明は、回転駆動係止部材が水平回転可能に調理器本体の上端面に保持され、前記回転駆動係止部材が前記調理器本体内の電動機により回転駆動可能に設けられ、前記調理器本体の上方に配設した調理容器の底壁に前記調理容器内に配設した切削手段が回転自在に保持され、下方に延びて前記上端面上に載置される内外二重の筒部が調理容器の底壁に設けられ、前記切削手段に連動し且つ前記調理容器を前記上端面上に載置したときに前記回転駆動係止部材に係止される被係止部材が前記筒部内に保持されていると共に、先端部に周方向に傾斜する傾斜面が設けられた複数の本体側係止片が前記回転駆動係止部材の回転中心と同心の同一円上に周方向に間隔をおいて等ピッチで前記上端面に突設され且つ前記筒部の内筒部と外筒部との間の環状溝内に配設され、前記本体側係止片に周方向から係合して前記調理容器の周方向への回動を阻止する容器側係止片が前記筒部に設けられた電動調理器であって、前記内筒部には切欠が形成されていると共に、前記外筒部の内壁面には容器側係止片としての上下に延びる回動規制リブが前記切欠に対応して突設されている電動調理器としたことを特徴とする。
【０００９】
請求項２の発明は、前記回動規制リブには前記筒部の中心側に向うに従って径が小さくなる傾斜面が前記筒部の下端部から前記底壁側に向けて形成されていることを特徴とする。
【００１０】
請求項３の発明は、前記外筒部と内筒部の対向する壁面の少なくとも一方には上下に向けて延びる補強リブが形成されていると共に、前記補強リブの下端部には前記環状溝の奥に向けて傾斜する傾斜面が形成されていることを特徴とする。
【００１１】
請求項４の発明は、前記切欠は前記内筒に１８０゜間隔をおいて２つ形成され、前記回動規制リブは前記一方の切欠に対応する第１の回動規制リブと他方の前記切欠に対応する第２の回動規制リブであり、前記第１の回動規制リブと第２の回動規制リブは互いに対向し、前記第１，第２の回動規制リブには傾斜面に連続する段部がそれぞれ形成されていると共に、複数の前記本体側係止片の外周面を結ぶ仮想円の直径は前記第１，第２の回動規制リブの段部の最小間隔より大きく且つ第１，第２の回動規制リブの一方の段部の外端と他方の回動規制リブの段部の内端との間隔より大きく設定されていることを特徴とする。
【００１２】
請求項５の発明は、  前記回動規制リブは前記切欠まで突出して前記環状溝の幅に形成されていると共に、前記回動規制リブは前記傾斜面に連続して前記切欠まで延びる段部を有することを特徴とする。
【００１３】
請求項６の発明は、前記回動規制リブは前記筒部の周方向に微小間隙を有して複数並設されていると共に、前記複数の回動規制リブの段部を結ぶ線は周方向に傾斜する様に設定されていることを特徴とする。
【００１４】
請求項７の発明は、前記複数の回動規制リブの間隔は前記本体側係止片に設けた傾斜面の周方向幅よりも小さく設定されていることを特徴とする。
【００１５】
請求項８の発明は、前記複数の回動規制リブの段部を結ぶ線の傾斜角度は、前記本体側係止片に設けた傾斜面の傾斜角度以上に設定されていることを特徴とする。
【００１６】
【発明の実施の形態】
以下、この発明の実施の形態を図１〜図９に基づいて説明する。
【００１７】
本願発明に係る調理器としてのミキサーは、図６に示した様に、電動機（モータ）が内蔵されたミキサー本体（調理器本体）１と、ミキサー本体１の上部に載置された容器本体（調理容器）２と、容器本体２の上部開口端を覆う蓋体３を有する。
【００１８】
そして、ミキサー本体１の上部には円形の載置台１ａが形成され、載置台１ａの上端面１ｂの中央には図７に示した様に回転円板４が水平回転可能に保持され、回転円板４上には半径方向に延びる複数の回転駆動係止部材５が設けられている。この回転円板４はミキサー本体１内の電動機により回転駆動可能に設けられている。また、載置台１ａの上端面１ｂ上には、複数の本体側係止片６が回転円板４の回転中心と同心の同一円上に周方向に間隔をおいて等ピッチで突設されている。この本体側係止片６は平面形状が円弧状に形成されている。しかも、本体側係止片６の先端部には屋根形状に周方向に傾斜する傾斜面６ａ，６ｂが設けられている。尚、αは傾斜面６ａ，６ｂの交叉角、Ａは傾斜面６ａ，６ｂの幅、Ｂは隣接する本体係止片６，６間の間隔である。
【００１９】
また、図８に示した様に、容器本体２の底壁２ａには容器本体２の底部内に配設した切削刃（調理物切削手段）７が回転自在に保持され、容器の本体２の底底壁２ａには下方に延びる筒部８が一体に形成されている。この筒部８は内筒部９と外筒部１０から内外二重に形成され、この内筒部９と外筒部１０との間には環状溝１１が形成されている。尚、複数の本体側係止片６の円形配列の径は、内筒部９の外径より大きく且つ外筒部１０の内径よりも小さく設定されている。尚、１３は切削刃７と一体に設けられ且つ内筒部９内に配設された板状の被係止部材、１４は容器本体２に設けられた把手である。
【００２０】
この内筒部９には図１(a)に示した様に周方向１８０゜の間隔をおいて一対の切欠２０，２０が形成され、外筒部１０の内壁面には切欠２０，２０に対応して回動規制手段２１，２１が形成されている。この各回動規制手段２１，２１は、互いに対向していて、図１(a)，(b)に示した様に、上下に延びる複数の回動規制リブ（容器側係止片）２２，２３，２４，２５，２６から構成されている。各回動規制リブ２２〜２６は、筒部８すなわち外筒部１０の周方向に等位ピッチで複数並設されている。尚、Ｐは、回動規制リブ２２〜２６の隣接するもの同士間の間隔である。この間隔Ｐは本体側係止片６に設けた傾斜面６ａ，６ｂの周方向幅Ａよりも小さく設定され、回動規制リブ２２と２６の間隔は隣接する本体係止片６，６間の間隔Ｂよりも僅かに小さく設定されている。また、回動規制リブ２２〜２６の突出量は、内筒８と外筒９の間隔すなわち環状溝１１の幅と略等しい量に設定されていている。尚、回動規制リブ２２，２６は切欠２０の部分まで突出している。
【００２１】
また、回動規制リブ２２〜２６には、筒部８の下端部側から中心側に向うに従って容器本体２の底壁２ａ側に向けて傾斜させた傾斜面２２ａ〜２６ａが形成されている。これにより、傾斜面２２ａ〜２６ａは、筒部８の中心側に向うに従って径が小さくなる様になっている。また、回動規制リブ２２〜２６には、傾斜面２２ａ〜２６ａに連続して筒部８の中心側に延びている。しかも、段部２２ｂ，２６ｂは切欠２０まで延びており、段部２３ｂ〜２５ｂは切欠２０の近傍まで延びている。
【００２２】
そして、一方の回動規制手段２１の回動規制リブ２２〜２６を第１の回動規制リブとすると共に、他方の回動規制手段２１の回動規制リブ２２〜２６を第２の回動規制リブとし、図３(b)の如く一方の第１の回動規制リブの段部２３ｂ〜２５ｂと他方の第２の回動規制リブの段部２３ｂ〜２５ｂの最大間隔をＤとし、一方の第１の回動規制リブの段部２３ｂ〜２５ｂの筒部８の中心側の端と他方の第２の回動規制リブの段部２３ｂ〜２５ｂの外側の端の間隔をＬ１とし、一方の第１の回動規制リブの段部２３ｂ〜２５ｂと他方の第２の回動規制リブの段部２３ｂ〜２５ｂの最小間隔をＬ３とし、段部２３ｂ〜２５ｂの幅をＢとすると共に、複数の本体側係止片６の外周面の直径をＬ２とすると、Ｌ１〜Ｌ３の関係は
Ｌ１（＝Ｄ−Ｂ／２）＞Ｌ２＞Ｌ３
となるように設定されている。従って、複数の本体側係止片６が回動規制手段２１，２１の一方の段部２３ｂ〜２５ｂの切欠２０の端まで移動しても、本体側係止片が段部２３ｂ〜２５ｂから筒部８の中心側に外れることはない。また、段部２２ｂ，２６ｂは切欠２０まで延びているので、段部２２ｂ，２６ｂの部分では本体側係止片６が筒部８の中心側に外れることはない。尚、段部２３ｂ〜２６ｂも段部２２ｂ，２６ｂと同じ設定とすることもできる。
【００２３】
しかも、段部２２ｂ〜２４ｂを結ぶ仮想線Ｏ１及び段部２４ｂ〜２６ｂを結ぶ仮想線Ｏ２は互いに反対方向に周方向に向けて傾斜する様に設定されている。尚、βは、仮想線Ｏ１，Ｏ２の交叉角である。
【００２４】
この交叉角βは、図２，図４に示した様に、本体側係止片６に設けた傾斜面６ａ，６ｂの交叉角αよりも大きく設定されている。しかし、この交叉角βは、図５に示した様に交叉角αと同じに形成してもよいし、又、逆に交叉角αよりも小さくすることもできる。この場合には、本体側係止片６を段部２２〜２６の傾斜配列に沿って筒部８の周方向に滑らかに移動案内できる。
【００２５】
内筒部９の外壁面及び外筒部１０の内壁面には、図１(a)，(c)に示した様に、筒部８の内筒部９と外筒部１０との間に位置し且つ上下に向けて延びる補強リブ２７，２８が形成されている。この補強リブ２７，２８の下端部には、下端から環状溝１１の奥に向って（底壁２ａに向けて）傾斜する傾斜面２７ａ，２８ａが形成されている。尚、傾斜面２７ａは半径方向に向けて傾斜し、傾斜面２８ａは筒部８の中心側に向うに従って径が小さくなるなる。
【００２６】
この様な構成においては、ミキサー本体１の複数の本体側係止片６が環状溝１１に入るように、容器本体２の筒部８を載置台１ａ上に載置する。この際、複数の本体側係止片６のいくつかは、補強リブ２７の傾斜面２７ａ又は補強リブ２８の傾斜面２８ａに案内されて環状溝１１の中央側に移動させられる。
【００２７】
この場合において、複数の本体側係止片６のうち回動規制手段２１，２１に臨んでいるものがあると、この各回動規制手段２１に臨んでいる本体側係止片６は回動規制リブ２２〜２６の傾斜面２２ａ〜２６ａに案内されて環状溝１１の中央側に移動させられる。
【００２８】
この後、この本体側係止片６は、例えば図３(a)のごとく回動規制リブ２２〜２６の段部２２ｂ〜２６ｂに当接して、環状溝１１の底部側への移動が停止する。しかも、この位置では、本体側係止片６の先端が図４の如く回動規制リブ２２〜２６の一つに当接して、容器本体２が周方向に直ちに回動するのを規制する。そして、この状態から、容器本体２を周方向に回動させると、本体側係止片６の傾斜面６ａ，６ｂ及び回動規制リブ２２〜２６の段部２２ｂ〜２６ｂの傾斜配列の作用により、本体側係止片６が環状溝１１の底部側に移動させられて容器本体２が降下し、容器本体２と一体の筒部８がミキサー本体１の載置台１ａの上面１ｂ上に載置されることになる。
【００２９】
この状態では、複数の本体側係止片６が環状溝１１に深く入っているので、複数の本体側係止片６が内筒部９及び外筒部１０とに係合することにより、容器本体２の倒れが防止されることになる。また、この状態では、回動規制手段２１の回動規制リブ２２〜２６が本体側係止片６，６間に挿入されるので、容器本体２を周方向へ回動させても、容器本体２は僅かに周方向に回動するが、容器側係止片１２が本体側係止片６に当接して周方向への回動が規制される。
【００３０】
一方、この様に容器本体２が載置台１ａ上に位置決して載置された状態で、電動機により回転円板４が回転駆動されると、回転円板４の回転駆動係止部材５が容器本体２側の被係止部材１３に係止されて、切削刃７が回転させられ、容器本体２内の調理物が切削刃７により切削されることになる。
【００３１】
尚、以上説明した実施例では、本体側係止片６の先端部に屋根形状に傾斜する傾斜面６ａ，６ｂを設けると共に、筒部８に設けた回動規制リブ２２〜２６の段部２２ｂ〜２６ｂも屋根形状に傾斜配列したが、必ずしもこれに限定されるものではない。例えば、図９に示した様に、本体側係止片６に一方側に傾斜する傾斜面６ｃを設けると共に、回動規制リブ２２〜２６の段部２２ｂ〜２６ｂを一方側にのみ傾斜配列した構成としてもよい。
【００３２】
【発明の効果】
以上説明したように、請求項１の発明は、回転駆動係止部材が水平回転可能に調理器本体の上端面に保持され、前記回転駆動係止部材が前記調理器本体内の電動機により回転駆動可能に設けられ、前記調理器本体の上方に配設した調理容器の底壁に前記調理容器内に配設した切削手段が回転自在に保持され、下方に延びて前記上端面上に載置される内外二重の筒部が調理容器の底壁に設けられ、前記切削手段に連動し且つ前記調理容器を前記上端面上に載置したときに前記回転駆動係止部材に係止される被係止部材が前記筒部内に保持されていると共に、先端部に周方向に傾斜する傾斜面が設けられた複数の本体側係止片が前記回転駆動係止部材の回転中心と同心の同一円上に周方向に間隔をおいて等ピッチで前記上端面に突設され且つ前記筒部の内筒部と外筒部との間の環状溝内に配設され、前記本体側係止片に周方向から係合して前記調理容器の周方向への回動を阻止する容器側係止片が前記筒部に設けられた電動調理器であって、前記内筒部には切欠が形成されていると共に、前記外筒部の内壁面には容器側係止片としての上下に延びる回動規制リブが前記切欠に対応して突設されている構成としたので、成形金型の製作が容易で且つ成形性のよい容器本体を提供できる。
【００３３】
請求項２の発明は、前記回動規制リブには前記筒部の中心側に向うに従って径が小さくなる傾斜面が前記筒部の下端部から前記底壁側に向けて形成されている構成としたので、容器本体を調理器本体に載置する際、本体側係止片を容器本体の環状溝に挿入させた場合に、本体側係止片が回動規制リブの傾斜面に案内されて環状溝内に移動させられる。
【００３４】
請求項３の発明は、前記外筒部と内筒部の対向する壁面の少なくとも一方には上下に向けて延びる補強リブが形成されていると共に、前記補強リブの下端部には前記環状溝の奥に向けて傾斜する傾斜面が形成されている構成としたので、容器本体を調理器本体に載置する際、本体側係止片を容器本体の環状溝に挿入させた構成としたので、本体側係止片が補強リブの傾斜面に案内されて環状溝内に移動案内させられる。
【００３５】
請求項４の発明は、前記切欠は前記内筒に１８０゜間隔をおいて２つ形成され、前記回動規制リブは前記一方の切欠に対応する第１の回動規制リブと他方の前記切欠に対応する第２の回動規制リブであり、前記第１の回動規制リブと第２の回動規制リブは互いに対向し、前記第１，第２の回動規制リブには傾斜面に連続する段部がそれぞれ形成されていると共に、複数の前記本体側係止片の外周面を結ぶ仮想円の直径は前記第１，第２の回動規制リブの段部の最小間隔より大きく且つ第１，第２の回動規制リブの一方の段部の外端と他方の回動規制リブの段部の内端との間隔より大きく設定されている構成としたので、容器本体を調理器本体に載置する際、本体側係止片を容器本体の環状溝に挿入させた場合に、本体側係止片と回動規制リブの段部との係合が外れることがないので、容器本体が倒れるようなことを未然に防止できる。
【００３６】
請求項５の発明は、  前記回動規制リブは前記切欠まで突出して前記環状溝の幅に形成されていると共に、前記回動規制リブは前記傾斜面に連続して前記切欠まで延びる段部を有する構成としたので、容器本体を調理器本体に載置する際、本体側係止片を容器本体の環状溝に挿入させた場合に、本体側係止片と回動規制リブの段部との係合が外れることがないので、容器本体が倒れるようなことを未然に防止できる。
【００３７】
請求項６の発明は、前記回動規制リブは前記筒部の周方向に微小間隙を有して複数並設されていると共に、前記複数の回動規制リブの段部を結ぶ線は周方向に傾斜する様に設定されている構成としたので、本体側係止片を複数の段部の傾斜配列により筒部の周方向に滑らかに移動させて環状溝内に案内させることができる。
【００３８】
請求項７の発明は、前記複数の回動規制リブの間隔は前記本体側係止片に設けた傾斜面の周方向幅よりも小さく設定されている構成としたので、本体側係止片が回動規制リブ間に完全に入り込むことはない。
【００３９】
請求項８の発明は、前記複数の回動規制リブの段部を結ぶ線の傾斜角度は、前記本体側係止片に設けた傾斜面の傾斜角度以上に設定されている構成としたので、容器本体を調理器本体上に載置する際、本体側係止片と回動規制リブの段部が係合したときに、本体側係止片の先端が複数の回動規制リブ一つの側面に当接して、容器本体が周方向へ回動するのを一時的に阻止できる。
【図面の簡単な説明】
【図１】  (a)は容器本体の底面図、(b)は(a)の回動規制リブの斜視図、(c)は(a)の補強リブの斜視図である。
【図２】本体側係止片と回動規制リブとの関係を示す説明図である。
【図３】  (a)，(b)は本体側係止片と回動規制リブの傾斜面及び段部の作用を説明するための断面図である。
【図４】本体側係止片と回動規制リブの段部の作用を説明するための説明図である。
【図５】本体側係止片と回動規制リブの他の例を示すの説明図である。
【図６】図１〜図５の構成を備えるミキサー（電動調理器）の概略斜視図である。
【図７】図６に示したミキサー本体の部分斜視図である。
【図８】図６に示した容器本体の拡大説明図である。
【図９】本体側係止片と回動規制リブの他の例を示すの説明図である。
【図１０】従来のミキサーの概略斜視図である。
【図１１】図１０に示したミキサー本体の部分斜視図である。
【図１２】図１０に示した容器本体の説明図である。
【図１３】図１２に示した容器本体を底面側から見た部分斜視図である。
【符号の説明】
１…ミキサー本体（調理器本体）
２…容器本体（調理容器）
２ａ…底壁
５…回転駆動係止部材
６…本体側係止片
６ａ，６ｂ…傾斜面
７…切削刃（調理物切削手段）
８…筒部
９…内筒部
１０…外筒部
１１…環状溝
１３…被係止部材
２０…切欠
２２〜２６…回動規制リブ
２２ａ〜２６ａ…傾斜面
２２ｂ〜２６ｂ…段部
２８…補強リブ
２８ａ…傾斜面
【図１】
0003700808.tif 000002
【図２】
0003700808.tif 000003
【図３】
0003700808.tif 000004
【図４】
0003700808.tif 000005
【図５】
0003700808.tif 000006
【図６】
0003700808.tif 000007
【図７】
0003700808.tif 000008
【図８】
0003700808.tif 000009
【図９】
0003700808.tif 000010
【図１０】
0003700808.tif 000011
【図１１】
0003700808.tif 000012
【図１２】
0003700808.tif 000013
【図１３】
0003700808.tif 000014